(57)【要約】【課題】画像記録装置等において、様々な厚みのある原稿を、その厚みに応じて確実に、かつ、開閉が軽く円滑に行える原稿押さえカバーの開閉機構を提供する。【解決手段】機台に固設した機台側支持部材１と、該押さえカバーに固設したカバー側支持部材３との間に回動部材２を枢結し、圧縮バネ５を巻装する伸縮自在の付勢杆４の基端を、該機台側支持部材における該回動部材の枢支点よりも該載置部寄りの部分に、該付勢杆の先端を、該回動部材における該カバー側支持部材の枢支点よりも該載置部寄りの部分に枢支し、該カバー側支持部材にカム３ａを設け、該付勢杆先端がその付勢力にて該カムを押すことにより該カバー側支持部材と該回動部材との密着が保持され、該回動部材に対して該カバー側支持部材を回動させる場合に、該カムの回動により、該付勢杆の先端を移動させる。【選択図】　　　　図１
2004004752.tif 000002
【特許請求の範囲】
【請求項１】
様々な厚みの原稿を載置するための載置部を形成する機台において、該載置部に載置した原稿を上方より押さえるべく、押さえカバーを該載置部の側方に開閉可能に取り付ける機構であって、該機台に固設した機台側支持部材と、該押さえカバーに固設したカバー側支持部材との間に回動部材を枢結し、圧縮バネを巻装する伸縮自在の付勢杆の基端を、該機台側支持部材における該回動部材の枢支点よりも該載置部寄りの部分に、該付勢杆の先端を、該回動部材における該カバー側支持部材の枢支点よりも該載置部寄りの部分に枢支し、該カバー側支持部材にカムを設け、該付勢杆先端がその付勢力にて該カムを押すことにより該カバー側支持部材と該回動部材との密着が保持され、該回動部材に対して該カバー側支持部材を回動させる場合に、該カムの回動により、該付勢杆の先端を移動させることを特徴とする原稿押さえカバーの開閉機構。
【請求項２】
請求項１記載の原稿押さえカバーの開閉機構において、該機台側支持部材に該付勢杆の基端を移動自在に枢支するとともに、該回動部材にカムを設け、該回動部材の該機台側支持部材に対する一定の回動域では該カムにて付勢杆の基端を位置固定することを特徴とする原稿押さえカバーの開閉機構。
【発明の詳細な説明】
【０００１】
【発明の属する技術分野】
本発明は、例えば、コピー機、或いはファクシミリ機能とコピー機能とを兼用する画像記録装置等、原稿を静止状に載置する静止原稿読取部を有し、この上に載置する本等の厚みのある原稿を押さえるためのカバーの開閉機構に関する。
【０００２】
【従来の技術】
本等、様々な厚みのある原稿を読み取る機能を有する画像記録装置等の装置においては、原稿を画像読取部に載置するのにおいて、押さえカバーにて上方より原稿を十分に原稿載置部に対して押さえつけないと、外部より光が入り、画質が劣ってしまう。この点で、押さえカバーの開閉機構が単なるヒンジ機構では、この不具合を解消することはできない。従来、ヒンジが「く」の字に曲折するような二重ヒンジ機構となっているものは公知となっている。
【０００３】
【発明が解決しようとする課題】
しかし、このような二重ヒンジ機構は、構造が複雑で、かつ重量があり、開閉の円滑性を欠くものとなっていた。従って、様々な厚みのある原稿を、その厚みに応じて確実に、かつ、開閉が軽く円滑に行える開閉機構が、このような押さえカバーにおいて望まれるのである。
【０００４】
【課題を解決するための手段】
本発明は、静止原稿の読取部を有する画像読取装置に適用されるような、様々な厚みの原稿を載置するための載置部を形成する機台において、該載置部に載置した原稿を上方より押さえるべく、押さえカバーを該載置部の側方に開閉可能に取り付ける原稿押さえカバーの開閉機構を構成するのに関し、以上のような不具合を解消するため、次のような手段を用いるものである。
【０００５】
請求項１においては、様々な厚みの原稿を載置するための載置部を形成する機台において、該載置部に載置した原稿を上方より押さえるべく、押さえカバーを該載置部の側方に開閉可能に取り付ける機構であって、該機台に固設した機台側支持部材と、該押さえカバーに固設したカバー側支持部材との間に回動部材を枢結し、圧縮バネを巻装する伸縮自在の付勢杆の基端を、該機台側支持部材における該回動部材の枢支点よりも該載置部寄りの部分に、該付勢杆の先端を、該回動部材における該カバー側支持部材の枢支点よりも該載置部寄りの部分に枢支し、該カバー側支持部材にカムを設け、該付勢杆先端がその付勢力にて該カムを押すことにより該カバー側支持部材と該回動部材との密着が保持され、該回動部材に対して該カバー側支持部材を回動させる場合に、該カムの回動により、該付勢杆の先端を移動させるものである。
【０００６】
請求項２においては、請求項１記載の原稿押さえカバーの開閉機構において、該機台側支持部材に該付勢杆の基端を移動自在に枢支するとともに、該回動部材にカムを設け、該回動部材の該機台側支持部材に対する一定の回動域では該カムにて付勢杆の基端を位置固定するものである。
【０００７】
【発明の実施の形態】
本発明の実施の形態を、添付の図面を基に説明する。図１は本発明に係る原稿押さえカバーの開閉機構のうち、押さえカバーによる押さえ操作の時にカムにて付勢杆を伸縮方向に押しつける構造のものの側面図であって、（ａ）は押さえカバーＣを開いた状態の図、（ｂ）は同じく載置部Ｂ上に閉じた状態の図、（ｃ）は載置部Ｂ上の厚みのある原稿を押さえカバーＣにて押さえつけた状態の図、図２は本発明に係る原稿押さえカバーの開閉機構のうち、押さえカバーによる押さえ操作の時にカムにて付勢杆を伸縮方向と違う方向に押しつける構造のものの側面図であって、（ａ）は押さえカバーＣを開いた状態の図、（ｂ）は同じく載置部Ｂ上に閉じた状態の図、（ｃ）は載置部Ｂ上の厚みのある原稿を押さえカバーＣにて押さえつけた状態の図、図３は図２図示の原稿押さえカバーの開閉機構に付勢杆基端を移動可能とする構造を付加したものの側面図であって、（ａ）は押さえカバーＣを開いた状態の図、（ｂ）は同じく載置部Ｂ上に閉じた状態の図、（ｃ）は載置部Ｂ上の厚みのある原稿を押さえカバーＣにて押さえつけた状態の図、図４は摺動部材６とカバー側支持部材３よりなる原稿押さえカバーの開閉機構であって、押さえカバーＣを開いた状態の側面一部断面図、図５は同じく載置部Ｂ上に閉じた状態の側面図、図６は載置部Ｂ上の厚みのある原稿を押さえカバーＣにて押さえつけた状態の側面一部断面図、図７は本発明の原稿押さえカバーの開閉機構が適用される、上部に静止原稿の画像読取部を有する画像記録装置の斜視図、図８は同じく画像記録装置の画像読取部の内部側面図である。
【０００８】
まず、本発明の原稿押さえカバーの開閉機構の適用例として、静止原稿の画像読取部を上部に形成する画像記録装置について、図７及び図８より説明する。装置全体の筐体構造としては、読取ケースＡ’と記録ケース１０とを上下に配設している。画像読取部は、画像記録装置の上部に形成されるものであり、本等の原稿を静止状に載置する透明状の静止原稿載置面Ｂ’が上面に配設されている。そして該静止原稿載置面Ｂ’の側方にて、該読取ケースＡ’に、開閉機構を介して開閉自在に原稿押さえカバーＣ’を取り付けており、該原稿押さえカバーＣ’にて、静止原稿載置面Ｂ’上に載置された原稿を上方より押さえるものとなっている。
【０００９】
読取ケースＡ’内においては、図８の如く、その底面にレンズ１３ａ及び光電変換器１３ｂを具備する光電変換ユニット１３が固設されており、光源１１ａ及び第一反射鏡１１ｂを具備する第一走査体１１と、第二反射鏡１２ａ及び第三反射鏡１２ｂを具備する第二走査体１２とを、該静止原稿載置面Ｂ’の下方にて搬送させ、光源１１ａにて静止原稿載置面Ｂ’を照射して、その上方に載置される原稿Ｄ’の画像を、第一反射鏡１１ｂ、第二反射鏡１２ａ、及び第三反射鏡１２ｂを介して反射し、該光電変換ユニット１３のレンズ１３ａに結像させ、光電変換器１３ｂにて電子信号化するものである。
【００１０】
なお、読取ケースＡ’上部には、該静止原稿載置面Ｂ’に隣接して、給送原稿読取部１４が配設されており、その上方には連続原稿給送部１５が配設されていて、一枚ずつ連続状に給送する原稿を読み取ることもできるようになっている。この場合には、給送原稿読取部１４の下方に第一走査体１１及び第二走査体１２を静止させておくものである。
【００１１】
このような画像読取部にて読み取られた画像情報や、或いは、送信されたファクシミリ情報を基に、記録ケース１０内に形成されている記録部にて、記録紙に記録がなされる。
【００１２】
図１乃至図３図示の本発明の押さえカバーの開閉機構を、このような画像記録装置に適用する場合には、機台Ａを読取ケースＡ’と、原稿の載置部Ｂを静止原稿載置面Ｂ’と、押さえカバーＣを原稿押さえカバーＣ’と、そして、原稿Ｄを原稿Ｄ’と置き換えるものである。このことを前提として、本発明の原稿押さえカバーの開閉機構の各種実施例について図１乃至図３より説明する。
【００１３】
まず、図１乃至図３共通の構造として、機台Ａの載置部Ｂ側方に機台側支持部材１を固設し、カバー側支持部材３を押さえカバーＣに固設しており、該機台側支持部材１に回動部材２の基端部を枢支点Ｐ１にて上下回動可能に枢支し、該カバー側支持部材３に回動部材２の先端部を枢支点Ｐ２にて上下回動可能に枢支する構造となっている。
【００１４】
図１乃至図３の各図において、（ａ）は、カバー側支持部材３と回動部材２とを密着させた状態（即ち、回動部材２をカバー側支持部材３に対して回動させていない状態）で、枢支点Ｐ１を支点に、回動部材２を機台側支持部材１に対して上方回動し、押さえカバーＣを上方回動した状態、即ち、押さえカバーＣを開けた状態となっている。また、（ｂ）は、カバー側支持部材３と回動部材２とを密着させた状態のまま、回動部材２と機台側支持部材１とを密着させた状態で、載置部Ｂ上に原稿Ｄがない状態か、或いは極めて薄手の原稿Ｄを載置した状態にて押さえカバーＣを載置部Ｂ上に閉じている状態となっている。
【００１５】
そして、（ｃ）は、枢支点Ｐ１及び枢支点Ｐ２を回動支点として、回動部材２を、機台側支持部材１に対しても、カバー側支持部材３に対しても回動し、即ち機台側支持部材１・回動部材２・カバー側支持部材Ｃを側面視Ｚ状に曲折して、押さえカバーＣを載置部Ｂの上方に平行状に配置した状態であり、これは、載置部Ｂ上に厚手の原稿Ｄを載置し、押さえカバーＣにてこれを押さえつけた状態を示すものである。
【００１６】
更に、図１乃至図３共通の構造として、押さえカバーＣの開閉を円滑にするとともに、載置部Ｂ上の原稿Ｄを押さえ付ける押圧力を付与するため、機台側支持部材１と回動部材２との間に、圧縮バネ５を巻装した伸縮自在の付勢杆４を連結している。該付勢杆４の基端４ａは、該機台側支持部材１における枢支点Ｐ１よりも載置部Ｂ寄りの位置に枢支している。一方、該付勢杆４の先端４ｂは、該回動部材２における枢支点Ｐ２よりも載置部Ｂ寄りの位置に枢支している。
【００１７】
また、図１乃至図３各図の（ａ）の状態において、回動部材２における枢支点Ｐ２と先端４ｂとの間の距離Ｌ２は、機台側支持部材１における枢支点Ｐ１と基端４ｂとの間の距離Ｌ２に比して大きくし、（ａ）の如く回動部材２を上方回動限界まで回動させた状態でも、付勢杆４は、先端４ｂが基端４ａよりも載置部Ｂ寄りに位置している状態となっている。
【００１８】
付勢杆４は、機台側支持部材１と回動部材２との間で、枢支点Ｐ１・Ｐ２よりも載置部Ｂ寄り側に枢結されているため、押さえカバーＣを上げるほど、つまり枢支点Ｐ１を支点に回動部材２を機台側支持部材１に対して上方回動するほど、伸長する。図１乃至図３各図にて判るように、（ａ）では、付勢杆４が伸長し、（ｂ）では、付勢杆４が収縮した状態となっている。圧縮バネ５は、付勢杆４の伸長方向に付勢力を有するので、押さえカバーＣを開けるほどに、圧縮バネ５の付勢力が作用することとなる。こうして、押さえカバーＣを開ける際の上方回動の操作力の軽減を図っている。
【００１９】
このように付勢杆４を付勢すると、逆に（ａ）状態から（ｂ）状態へと押さえカバーＣを閉じる際に、この付勢力に抗しなければならなくなる。しかし、押さえカバーＣを閉じる場合、押さえカバーＣを下方に押す力と、載置部Ｂ側へと押す力が作用する。（ａ）の状態では、付勢杆４における圧縮バネ５の上方への付勢力が強く、押さえカバーＣをある程度この付勢力に抗して押す力が必要であるが、閉じるに連れて、付勢杆４の先端部が載置部Ｂ側へと回動するので、上方への付勢力は弱まり、基端４ａを支点に付勢杆４が回動する作用力の方が勝り、（ｂ）の直前状態では、上方への付勢力は殆ど働かず、押さえカバーＣは、殆ど自重で（ｂ）の状態へと閉じるようになる。このように、押さえカバーＣを押す力は、下方回動するに連れて、付勢杆４の収縮方向、即ち、圧縮バネ５の圧縮方向に働くよりも、むしろ基端４ａを支点とする付勢杆４基端の下方回動に作用するので、操作力は軽くて済むのである。
【００２０】
問題は、回動部材２とカバー側支持部材３とが、（ａ）や（ｂ）のように密着した状態から、原稿Ｄを押さえカバーＣにて押さえつけるべく、（ｃ）のように開いた状態になるようにする構造である。つまり、（ａ）の状態から押さえカバーＣを押す場合には、回動部材とカバー側支持部材３とが密着した状態を保持しなければならず、その一方、載置部Ｂ上に載置した原稿Ｄに当接すると、回動部材２がそれ以上回動せず、なおも押さえカバーＣを押す力で、枢支点Ｐ２を支点にカバー側支持部材３を開度部材２に対して回動させ、押さえカバーＣを水平状態にして、原稿Ｄを押さえるようにするようにしなければならない。このようにするには、押さえカバーＣが載置部Ｂ上の原稿Ｄに当接するまでは、押さえカバーＣを押す力が、枢支点Ｐ２を支点に回動部材２に対してカバー側支持部材３が回動する作用よりも、枢支点Ｐ１を支点に機台側支持部材１に対して回動部材２が回動する作用に強く働くようにし、押さえカバーＣが載置部Ｂ上の原稿Ｄに当接して回動部材２がそれ以上回動しなくなってから、押さえカバーＣを押す力がカバー側支持部材３が回動部材２に対して回動するよう作用する構造が必要である。
【００２１】
まず、（ａ）の状態から、回動部材２とカバー側支持部材３との密着状態を保持したまま押さえカバーＣを回動させるための構造として、図１乃至図３に共通して、付勢杆４の上方付勢力を利用して、回動部材２をカバー側支持部材３に密着させる構造を取っている。即ち、カバー側支持部材３よりカム３ａを突設し、該カム３ａに付勢杆４の先端４ｂを当接させ、該先端４ｂの付勢力によるカム３ａへの押圧力により、カバー側支持部材３を回動部材２に密着させるようにしているのである。
【００２２】
このように、付勢杆４の付勢力を利用してカバー側支持部材３を回動部材２に密着させるようにすると、（ｃ）の如く、押さえカバーＣにて載置部Ｂ上の原稿Ｄを押さえるべく、回動部材２に対してカバー側支持部材３を回動させるためには、今度は、付勢杆４の付勢力によるカム３ａの押しつけを解除する構造が必要である。この構造のため、図１乃至図３図示のいずれの実施例においても、付勢杆４の先端４ｂを移動可能に、該先端４ｂを、回動部材２に穿設した長孔内に配設している。
【００２３】
図１は、（ｃ）状態とする時に、押さえカバーＣを押す力を、付勢杆４の収縮に直接作用させる構造を採用している。まず、先端４ｂを配設する長孔２ａを、付勢杆４の配設方向、即ち伸縮方向を長径として形成している。押さえカバーＣが原稿Ｄに当たらない場合には、押さえカバーＣを押す力が殆ど回動部材２の回動に作用して、カム３ａが付勢杆４の先端枢支杆Ｐ４を押す力よりも、先端枢支杆Ｐ４が付勢力でカム３ａを押す力の方が勝り、カバー側支持部材３は回動部材２に密着したままである。そして、押さえカバーＣが載置部Ｂ上の原稿Ｄに当接して回動部材２が回動不能になると、押さえカバーＣが、カム３ａが先端枢支端Ｐ４を押す力に大きく作用するようになり、付勢力に抗するカム３ａの押圧力にて、先端４ｂは、長孔２ａ内を、付勢杆４の収縮側に移動する。こうして、付勢杆４の付勢力に抗して、カム３ａを回動させ、これと一体にカバー側支持部材３を回動部材２に対して回動させて、（ｃ）の如く、押さえカバーＣを水平状にするのである。
【００２４】
しかし、図１は、先端４ｂを、付勢杆４の伸縮方向、即ち、圧縮バネ５の付勢力の働く方向に移動させるため、カム３ａに相当な押圧力が必要であり、このため、押さえカバーＣを強く押さえつける操作力が必要となる。これを軽減させるべく、図２においては、先端４ｂの配設される長孔２ｂは、その長径を付勢杆４の伸縮方向とはしていない。原稿Ｄを押さえつける場合には、回動部材２がある程度下方回動した状態となっているが、このおおよその下方回動位置を想定して、該回動部材２がこの下方回動位置になった時に長径が上下方向となる向きに長孔２ｂを形成しているのである。即ち、押さえカバーＣが載置部Ｂ上の原稿Ｄに当接して回動部材２が回動しなくなると、押さえカバーＣを押す力にてカム３ａが先端４ｂを、該長孔２ｂ内の下方部分へと押し下げる。圧縮バネ５付勢力は、この先端４ｂの移動方向には殆ど働かないので、軽い押圧力にて容易に先端４ｂを押し下げることができる。従って、押さえカバーＣにて載置部Ｂ上の原稿Ｄを押さえつける時の操作力が少なくてすむ。
【００２５】
しかし、図２の場合も、（ｃ）の状態に押さえカバーＣをセットする際に、付勢杆４を若干でも収縮させるので、付勢力に抗する力はやはり必要であり、押さえカバーＣの原稿Ｄを押さえつける力の低減に結びついてしまう。この不具合を解消すべく、図３の構造は、図２の構造に、付勢杆４の基端４ａの移動構造を付加したものとなっている。即ち、回動部材２の基端部にてカム２ｃを突設しており、一方、機台側支持部材１には、水平方向の長孔１ａを穿設して、該長孔１ａ内に付勢杆４の基端枢支部Ｐ３を配設している。カム２ｃは、押さえカバーＣが載置部Ｂ上の原稿Ｄを押さえる位置を想定しておいて、（ａ）位置から押さえカバーＣをこの想定位置に下げるまでは、基端４ａを、長孔１ａ内の載置部Ｂ寄り端に押さえつけており、付勢杆４の圧縮バネ５の付勢力を保持して先端４ｂがカム３ａを押しつける力を保持し、カバー側支持部材３と回動部材２との密着状態を保持するものとなっている。そして、（ｃ）に示す想定位置になると、カム２ｃが基端４ａより外れ、押さえカバーＣを押さえつける力でカム３ａが長孔２ｂ内の下端に先端４ｂを押し下げると、該基端４ａは、圧縮バネ５の付勢力と相まって、該長孔１ａ内を、枢支点Ｐ１寄り側に移動し、付勢杆４は伸長する。従って、（ｃ）状態とする時の押さえカバーＣの押さえ操作の時に、付勢杆４を圧縮する力は解消され、操作力は一層軽減されるのである。
【００２６】
以上の発明に係る開閉機構とは別に、図４乃至図６図示の開閉機構について説明する。図１乃至図３では、載置部Ｂ上に載置する原稿Ｄの様々な厚みに対しては、回動部材２の枢支点Ｐ１に対する回動角度にて対応している。一方、図４では、機台Ａにおける載置部Ｂの側方に、機台側支持部材６を固設し、該機台側支持部材６に上下摺動自在に摺動支持部材７を嵌入し、押さえカバーＣを直接取り付けたカバー側支持部材８を、該摺動支持部材７に、枢支点Ｐ３にて上下回動自在に枢支しており、圧縮バネ５を巻装する付勢杆４の基端４ａを、該摺動支持部材７における該枢支点Ｐ３よりも載置部４寄り側に枢支し、先端４ｂを、カバー側支持部材３の先端部に枢支している。なお、該機台側支持部材６にガイド用の長孔６ａが穿設されていて、該ガイド用長孔６ａを貫通して、位置調節ピン９を該摺動支持部材７に係合している。
【００２７】
図４は、押さえカバーＣを開けた状態であり、図５は載置部Ｂ上に原稿Ｄがないか、或いは極めて薄手の原稿Ｄが載置されていて、押さえカバーＣを載置部Ｂ上に締めた状態である。図６のように、ある程度厚手の原稿Ｄが載置部Ｂ上に載置されている時は、摺動支持部材７が該機台支持部材６内にて上方に摺動し、これによって、枢支点Ｐ１の位置が高くなり、つまり、カバー側支持部材３の基端を高くすることができるので、カバー側支持部材３を、図６の如く、水平にすることができ、これと一体の押さえカバーＣにて、原稿Ｄを確実に押さえつけることができるのである。
【００２８】
【発明の効果】
本発明は以上のように構成したので、次のような効果を奏する。
まず、請求項１記載の如く構成することにより、機台側支持部材と回動部材との間にて載置部寄りに連結した付勢杆の付勢力により回動部材の機台側支持部材に対しての上方回動の操作力を軽減し、押さえカバーの開操作を容易化するとともに、押さえカバーを下方回動するに連れて付勢杆の上方への付勢力が低減し、押さえカバーの閉操作力を軽減する。そして、回動部材の機台側支持部材に対する回動量にて、載置部上の原稿の厚みに対応し、回動部材に対してカバー側支持部材を水平向きに回動することによって、載置物上の厚みのある原稿を、水平状にした押さえカバーにて確実に押さえることができる。このように、簡単な構造にて、機台の載置部に載置する様々な厚みの原稿に対応して、原稿を確実に押さえつけることのできる原稿押さえカバーの開閉機構を提供できる。
【００２９】
また、押さえカバーが載置部上の原稿に当接しない時には、付勢杆先端の付勢力にてカバー側支持部材に設けたカムを押さえつけることで、カバー側支持部材と回動部材との密着が保持されて、押さえカバーの押さえる力を押さえカバーの開閉操作にのみ作用させることができ、原稿に押さえカバーが当接して回動部材が回動しなくなり、なおも押さえカバーを押すと、カムが付勢杆先端を移動させてカムへの押しつけ力を解消し、カム回動とともにカバー側支持部材を回動部材に対して回動させて、前記のように押さえカバーを水平状にして、載置部上の原稿を押さえる状態にすることができる。
【００３０】
そして、請求項１の構成に加えて、請求項２の如く構成することで、押さえカバーの開閉のみと想定される回動部材の回動域においては、回動部材に設けたカムにて付勢杆の基端を位置固定することで、付勢杆先端がカバー側支持部材付設のカムを押圧する状態を保持して、カバー側支持部材と回動部材とを密着状態に保持し、押さえカバーの開閉を可能としており、一方、押さえカバーが載置部上の原稿を押さえつけると想定される回動部材の回動域においては、回動部材付設のカムが解除され、付勢杆基端が移動自在となり、前記の如くカバー側支持部材付設のカムが付勢杆先端を移動させる際に、付勢杆基端も移動するので、付勢杆の移動が円滑になり、回動部材に対してのカバー側支持部材の回動も円滑になって、押さえカバーによる載置部上の原稿を押さえる操作が容易化する。
【図面の簡単な説明】
【図１】本発明に係る原稿押さえカバーの開閉機構のうち、押さえカバーによる押さえ操作の時にカムにて付勢杆を伸縮方向に押しつける構造のものの側面図であって、（ａ）は押さえカバーＣを開いた状態の図、（ｂ）は同じく載置部Ｂ上に閉じた状態の図、（ｃ）は載置部Ｂ上の厚みのある原稿を押さえカバーＣにて押さえつけた状態の図である。
【図２】本発明に係る原稿押さえカバーの開閉機構のうち、押さえカバーによる押さえ操作の時にカムにて付勢杆を伸縮方向と違う方向に押しつける構造のものの側面図であって、（ａ）は押さえカバーＣを開いた状態の図、（ｂ）は同じく載置部Ｂ上に閉じた状態の図、（ｃ）は載置部Ｂ上の厚みのある原稿を押さえカバーＣにて押さえつけた状態の図である。
【図３】図２図示の原稿押さえカバーの開閉機構に、付勢杆基端を移動可能とする構造を付加したものの側面図であって、（ａ）は押さえカバーＣを開いた状態の図、（ｂ）は同じく載置部Ｂ上に閉じた状態の図、（ｃ）は載置部Ｂ上の厚みのある原稿を押さえカバーＣにて押さえつけた状態の図である。
【図４】摺動部材６とカバー側支持部材３よりなる原稿押さえカバーの開閉機構であって、押さえカバーＣを開いた状態の側面一部断面図である。
【図５】同じく載置部Ｂ上に閉じた状態の側面図である。
【図６】同じく載置部Ｂ上の厚みのある原稿を押さえカバーＣにて押さえつけた状態の側面一部断面図である。
【図７】本発明の原稿押さえカバーの開閉機構が適用される、上部に静止原稿の画像読取部を有する画像記録装置の斜視図である。
【図８】同じく画像記録装置の画像読取部の内部側面図である。
【符号の説明】
Ａ　　　機台
Ｂ　　　載置部
Ｃ　　　押さえカバー
Ｄ　　　原稿
Ｐ１　　枢支点
Ｐ２　　枢支点
１　　　機台側支持部材
１ａ　　長孔
２　　　回動部材
２ａ　　長孔
２ｂ　　長孔
２ｃ　　カム
３　　　カバー側支持部材
３ａ　　カム
４　　　付勢杆
４ａ　　基端
４ｂ　　先端
５　　　圧縮バネ
【図１】
2004004752.tif 000003
【図２】
2004004752.tif 000004
【図３】
2004004752.tif 000005
【図４】
2004004752.tif 000006
【図５】
2004004752.tif 000007
【図６】
2004004752.tif 000008
【図７】
2004004752.tif 000009
【図８】
2004004752.tif 000010
【手続補正書】
【提出日】平成15年6月11日(2003.6.11)
【手続補正１】
【補正対象書類名】明細書
【補正対象項目名】特許請求の範囲
【補正方法】変更
【補正の内容】
【特許請求の範囲】
【請求項１】
様々な厚みの原稿を載置するための載置部を形成する機台において、該載置部に載置した原稿を上方より押さえるべく、押さえカバーを該載置部の側方に開閉可能に取り付ける機構であって、該機台に固設した機台側支持部材と、該押さえカバーに固設したカバー側支持部材との間に回動部材を枢結し、圧縮バネを巻装する伸縮自在の付勢杆の基端を、該機台側支持部材における該回動部材の枢支点よりも該載置部寄りの部分に、該付勢杆の先端を、該回動部材における該カバー側支持部材の枢支点よりも該載置部寄りの部分に枢支し、該カバー側支持部材にカムを設け、該付勢杆先端がその付勢力にて該カムを押すことにより該カバー側支持部材と該回動部材との密着が保持され、該回動部材に対して該カバー側支持部材を回動させる場合に、該カムの回動により、該付勢杆の先端を移動させることを特徴とする原稿押さえカバーの開閉機構。
【請求項２】
請求項１記載の原稿押さえカバーの開閉機構において、付勢杆の先端の配設される長孔を設け、該長孔は、載置部上の厚みのある原稿を押さえカバーにて押さえつけた状態で、該回動部材が下方回動位置になった時に長径が上下方向となる向きに形成したことを特徴とする原稿押さえカバーの開閉機構。
【請求項３】
請求項１記載の原稿押さえカバーの開閉機構において、該機台側支持部材に該付勢杆の基端を移動自在に枢支するとともに、該回動部材にカムを設け、該回動部材の該機台側支持部材に対する一定の回動域では該カムにて付勢杆の基端を位置固定することを特徴とする原稿押さえカバーの開閉機構。
【請求項４】
様々な厚みの原稿を載置するための載置部を有する機台と、該載置部に載置した原稿を上方より押さえる開閉可能に取り付けられる原稿押さえカバーと、を備えた原稿押さえカバーの開閉機構であって、該機台に取り付けられる機台側支持部材と、前記機台側支持部材に原稿押さえカバーと同一方向に回動可能に枢支される回動部材と、前記回動部材の枢支点とは他端側に枢支される回動可能な原稿押さえカバー支持部材と、前記機台側支持部材と前記回動部材との間に、圧縮バネを巻装する伸縮自在の付勢杆とを有し、前記付勢杆の基端を、該機台側支持部材における該回動部材の枢支点よりも該載置部寄りに枢支し，前記付勢杆の先端が前記カバー支持部材に設けられるカムを押すことにより、該カバー支持部材と該回動部材との密着状態を保持するとともに、前記載置部に厚手の原稿が置かれると、原稿押さえカバー支持部材が回動部材に対して回動し、機台側支持部材・回動部材・原稿押さえカバー支持部材を側面視Ｚ状に曲折させて、原稿押さえカバーを前記載置部に対して水平にした状態では、前記付勢杆の先端のカムの押しつけを解除するように構成したことを特徴とする原稿押さえカバーの開閉機構。
【手続補正２】
【補正対象書類名】明細書
【補正対象項目名】０００６
【補正方法】変更
【補正の内容】
【０００６】
請求項２においては、請求項１記載の原稿押さえカバーの開閉機構において、付勢杆の先端の配設される長孔を設け、該長孔は、載置部上の厚みのある原稿を押さえカバーにて押さえつけた状態で、該回動部材が下方回動位置になった時に長径が上下方向となる向きに形成したものである。
請求項３においては、請求項１記載の原稿押さえカバーの開閉機構において、該機台側支持部材に該付勢杆の基端を移動自在に枢支するとともに、該回動部材にカムを設け、該回動部材の該機台側支持部材に対する一定の回動域では該カムにて付勢杆の基端を位置固定するものである。
請求項４においては、様々な厚みの原稿を載置するための載置部を有する機台と、該載置部に載置した原稿を上方より押さえる開閉可能に取り付けられる原稿押さえカバーと、を備えた原稿押さえカバーの開閉機構であって、該機台に取り付けられる機台側支持部材と、前記機台側支持部材に原稿押さえカバーと同一方向に回動可能に枢支される回動部材と、前記回動部材の枢支点とは他端側に枢支される回動可能な原稿押さえカバー支持部材と、前記機台側支持部材と前記回動部材との間に、圧縮バネを巻装する伸縮自在の付勢杆とを有し、前記付勢杆の基端を、該機台側支持部材における該回動部材の枢支点よりも該載置部寄りに枢支し，前記付勢杆の先端が前記カバー支持部材に設けられるカムを押すことにより、該カバー支持部材と該回動部材との密着状態を保持するとともに、前記載置部に厚手の原稿が置かれると、原稿押さえカバー支持部材が回動部材に対して回動し、機台側支持部材・回動部材・原稿押さえカバー支持部材を側面視Ｚ状に曲折させて、原稿押さえカバーを前記載置部に対して水平にした状態では、前記付勢杆の先端のカムの押しつけを解除するように構成したものである。


【手続補正３】
【補正対象書類名】明細書
【補正対象項目名】００１７
【補正方法】変更
【補正の内容】
【００１７】
また、図１乃至図３各図の（ａ）の状態において、回動部材２における枢支点Ｐ２と先端４ｂとの間の距離Ｌ１は、機台側支持部材１における枢支点Ｐ１と基端４ｂとの間の距離Ｌ２に比して大きくし、（ａ）の如く回動部材２を上方回動限界まで回動させた状態でも、付勢杆４は、先端４ｂが基端４ａよりも載置部Ｂ寄りに位置している状態となっている。


【手続補正４】
【補正対象書類名】明細書
【補正対象項目名】００３０
【補正方法】変更
【補正の内容】
【００３０】
そして、請求項１の構成に加えて、請求項２の如く構成することで、押さえカバーが載置部上の原稿に当接して回動部材が回動しなくなると、押さえカバーを押す力にてカムが付勢杆の先端を、該長孔内の下方部分へと押し下げるが、圧縮バネの付勢力は、この先端の移動方向には殆ど働かないように構成したので、軽い押圧力にて容易に先端を押し下げることができる。
従って、押さえカバーＣにて載置部上の原稿を押さえつける時の操作力が少なくて済むようになったのである。
そして、請求項１の構成に加えて、請求項３の如く構成することで、押さえカバーの開閉のみと想定される回動部材の回動域においては、回動部材に設けたカムにて付勢杆の基端を位置固定することで、付勢杆先端がカバー側支持部材付設のカムを押圧する状態を保持して、カバー側支持部材と回動部材とを密着状態に保持し、押さえカバーの開閉を可能としており、一方、押さえカバーが載置部上の原稿を押さえつけると想定される回動部材の回動域においては、回動部材付設のカムが解除され、付勢杆基端が移動自在となり、前記の如くカバー側支持部材付設のカムが付勢杆先端を移動させる際に、付勢杆基端も移動するので、付勢杆の移動が円滑になり、回動部材に対してのカバー側支持部材の回動も円滑になって、押さえカバーによる載置部上の原稿を押さえる操作が容易化する。
請求項４の如く構成することで、載置部Ｂに厚手の原稿Ｄが置かれると、原稿押さえカバー支持部材３が回動部材２に対して回動し、機台側支持部材・回動部材・原稿押さえカバー支持部材を側面視Ｚ状に曲折させて、原稿押さえカバーＣを前記載置部Ｂに対して水平にした状態では、前記付勢杆４の先端のカム３ａの押しつけを解除するので、軽い押圧力にて容易に原稿押さえカバーの先端を押し下げることができる。
従って、押さえカバーＣにて載置部上の原稿を押さえつける時の操作力が少なくて済むようになったのである。